(57)【要約】【課題】部品点数を増やすことなく、かつ光学系の光軸とマウント環の中心とを一致させる光軸調整作業を簡単に行うことができるレンズ装置を提供する。【解決手段】レンズ鏡胴本体の後部のマウント取付枠２０にねじ止めされるマウント環２２は、バヨネット爪２２Ａと、マウント取付枠２０に取り付けられるフランジ部２２Ｂとを有し、マウント取付枠２０は、マウント環２２の外径よりも大きな外径を有するとともに、後端にマウント環２２のフランジ部２２Ｂが当接する取付面１１４と、マウント環２２の貫通穴に対向するねじ穴とを有し、マウント環２２とマウント取付枠２０とは、六角穴付ねじ２３により仮締めされた状態で、光軸とマウント環２２の中心とを一致させるために取付面１１４上で相対的に移動可能であり、かつコリメータ用治具６が取り付けられた状態で、六角穴付ねじ２３を六角レンチ１３２により本締め可能に構成されている。【選択図】  図４
2011064973.tif 000002
【特許請求の範囲】
【請求項１】
レンズ鏡胴本体の後部のマウント取付枠と、該マウント取付枠の後端にねじ止めされるマウント環とを有するレンズ装置において、
前記マウント環は、レンズ装置をカメラ本体側のマウント部に取り付けるための取付部と、前記マウント取付枠に取り付けられるフランジ部であって、雄ねじが挿通される貫通穴を有するフランジ部とを有し、
前記マウント取付枠は、前記マウント環の外径よりも大きな外径を有するとともに、後端に前記マウント環のフランジ部が当接する取付面と、前記マウント環の貫通穴に対向するねじ穴とを有し、
前記マウント環とマウント取付枠とは、前記貫通穴を介してねじ穴に螺合する雄ねじにより仮締めされた状態で、前記レンズ装置の光学系の光軸と前記マウント環の中心とを一致させるために前記取付面上で相対的に移動可能であり、かつ前記マウント環の取付部に光軸調整結果を確認するための光軸調整用治具が取り付けられた状態で、前記雄ねじを本締め可能に構成されていることを特徴とするレンズ装置。
【請求項２】
前記マウント環の取付部は、バヨネット爪であることを特徴とする請求項１に記載のレンズ装置。
【請求項３】
前記マウント取付枠には、リアフォーカス式のフォーカスレンズと、該フォーカスレンズを光軸方向に駆動するフォーカスレンズ駆動手段と、前記フォーカスレンズの位置を検出するレンズ位置検出手段とが収容されることを特徴とする請求項１又は２に記載のレンズ装置。
【請求項４】
前記マウント取付枠の外径は、７０〜８０ｍｍであることを特徴とする請求項３に記載のレンズ装置。
【請求項５】
前記マウント環とマウント取付枠とを固定する雄ねじは、六角穴付ねじであり、前記マウント環の取付部に前記光軸調整用治具が取り付けられた状態で、六角レンチにより本締め可能になっていることを特徴とする請求項１から４のいずれかに記載のレンズ装置。
【請求項６】
前記マウント取付枠のねじ穴は、前記マウント取付枠に一体形成されたねじ用ボスに形成され、前記ねじ用ボスの上面は、前記マウント環が取り付けられる取付面の一部を構成していることを特徴とする請求項１から５のいずれかに記載のレンズ装置。
【発明の詳細な説明】
【技術分野】
【０００１】
本発明はレンズ装置に係り、特にレンズ装置の光学系の光軸とマウント環の中心とを一致させる技術に関する。
【背景技術】
【０００２】
従来、テレビの取材等で使用される持ち運び可能なＥＮＧ(Electronic News Gathering)カメラに用いられるレンズ装置として、インナーフォーカス方式のレンズ装置やリアフォーカス方式のレンズ装置が知られている（特許文献１、２）。
【０００３】
特許文献１に記載のレンズ装置のマウント環は、図５に示すようにマウント環２、マウント環３の２ピース構造をとっている。
【０００４】
このレンズ装置の光学系の光軸と、マウント環２、３（特に、マウント環３）のメカ中心とを一致させる光軸調整を行う場合には、レンズ鏡胴本体４の後端にマウント環２をねじで固定するとともに、マウント環２とマウント環３との締結ねじを仮締めしておき（符号５は、締結ねじの位置）、コリメータ用治具６をマウント環２のバヨネット爪２Ａ及びマウント環３の外周面等を利用して固定する。尚、コリメータ用治具６は、マウント環３側に位置決め固定される。
【０００５】
そして、レンズ鏡胴本体４（マウント環２）を、マウント環３（コリメータ用治具６）に対して振ってレンズ光軸とマウント環３の中心とが一致したか否かをコリメータ用治具６により確認しながら光軸調整を行い、この光軸調整後、コリメータ用治具６を外し、マウント環２とマウント環３との締結ねじを本締めする。
【０００６】
続いて、締結ねじの本締め後、再びコリメータ用治具６をマウント環２、３に取り付け、コリメータ用治具６を外す作業及び締結ねじの本締めにより光軸調整が変化していないかどうかを確認する。尚、光軸調整が変化した場合には、再び締結ねじを緩めて上記の光軸調整作業を繰り返す。
【０００７】
一方、特許文献２に記載のリアフォーカス式のレンズ装置では、フォーカスレンズの直前に配設された防振レンズの基準位置を適宜設定することにより、光学系の光軸とマウント環の中心とのメカ的な光軸調整を行わずに光学系の光軸とマウント環の中心とを一致させるようにしている。
【先行技術文献】
【特許文献】
【０００８】
【特許文献１】特開平９−２１１３０３号公報
【特許文献２】特開２００７−１４８０２１号公報
【発明の概要】
【発明が解決しようとする課題】
【０００９】
特許文献１に記載のレンズ装置は、光学系の光軸とマウント環の中心とを一致させる光軸調整のために２ピースのマウント環２、３を使用するため、部品点数が多くなり、コストアップになるという問題がある。また、光軸調整後、コリメータ用治具６を外す作業及び締結ねじの本締めを行うため、光軸調整が変化するおそれがあり、光軸調整変化の確認作業を行う必要がある（作業工程が増えるという問題がある）。
【００１０】
一方、特許文献２に記載のレンズ装置のように防振レンズを使用して光学系の光軸とマウント環の中心とを一致させる技術は、防振レンズが設けられていないレンズ装置には適用できない。
【００１１】
本発明はこのような事情に鑑みてなされたもので、部品点数を増やすことなく、また、光学系の光軸とマウント環の中心とを一致させる光軸調整作業を簡単に行うことができるレンズ装置を提供することを目的とする。
【課題を解決するための手段】
【００１２】
前記目的を達成するために請求項１に係る発明は、レンズ鏡胴本体の後部のマウント取付枠と、該マウント取付枠の後端にねじ止めされるマウント環とを有するレンズ装置において、前記マウント環は、レンズ装置をカメラ本体側のマウント部に取り付けるための取付部と、前記マウント取付枠に取り付けられるフランジ部であって、雄ねじが挿通される貫通穴を有するフランジ部とを有し、前記マウント取付枠は、前記マウント環の外径よりも大きな外径を有するとともに、後端に前記マウント環のフランジ部が当接する取付面と、前記マウント環の貫通穴に対向するねじ穴とを有し、前記マウント環とマウント取付枠とは、前記貫通穴を介してねじ穴に螺合する雄ねじにより仮締めされた状態で、前記レンズ装置の光学系の光軸と前記マウント環の中心とを一致させるために前記取付面上で相対的に移動可能であり、かつ前記マウント環の取付部に光軸調整結果を確認するための光軸調整用治具が取り付けられた状態で、前記雄ねじを本締め可能に構成されていることを特徴としている。
【００１３】
前記マウント取付枠とマウント環とは、前記マウント取付枠の取付面上で光軸調整のために相対的に移動可能に構成されているため、前記マウント環を２ピース化する必要がなく、部品点数を少なくすることができ、コストダウンを図ることができる。また、前記マウント取付枠は、前記マウント環の外径よりも大きな外径を有しており、前記マウント環の取付部に光軸調整用治具が取り付けられた状態で（即ち、光軸調整の状態を確認しながら）、雄ねじを本締めすることができる。これにより、光軸調整作業時の光軸調整用治具の着脱は１回だけで済み、光軸調整作業を容易に行うことができる。
【００１４】
請求項２に示すように請求項１に記載のレンズ装置において、前記マウント環の取付部は、バヨネット爪であることを特徴としている。
【００１５】
請求項３に示すように請求項１又は２に記載のレンズ装置において、前記マウント取付枠には、リアフォーカス式のフォーカスレンズと、該フォーカスレンズを光軸方向に駆動するフォーカスレンズ駆動手段と、前記フォーカスレンズの位置を検出するレンズ位置検出手段とが収容されることを特徴としている。
【００１６】
請求項４に示すように請求項３に記載のレンズ装置において、前記マウント取付枠の外径は、７０〜８０ｍｍであることを特徴としている。
【００１７】
請求項３、４に示すように前記マウント取付枠は、フォーカスレンズ及びフォーカスレンズ駆動手段等を収容する必要があるため、マウント取付枠の外径は、マウント環の外径よりも十分に大きくなっている。
【００１８】
請求項５に示すように請求項１から４のいずれかに記載のレンズ装置において、前記マウント環とマウント取付枠とを固定する雄ねじは、六角穴付ねじであり、前記マウント環の取付部に前記光軸調整用治具が取り付けられた状態で、六角レンチにより本締め可能になっていることを特徴としている。
【００１９】
即ち、前記マウント環のフランジ部（六角穴付ねじ）と、前記マウント環の取付部に取り付けられる光軸調整用治具との間には、六角レンチの先端が入る空間が確保されており、六角レンチにより締結用の六角穴付ねじを本締めできるようにしている。
【００２０】
請求項６に示すように請求項１から５のいずれかに記載のレンズ装置において、前記マウント取付枠のねじ穴は、前記マウント取付枠に一体形成されたねじ用ボスに形成され、前記ねじ用ボスの上面は、前記マウント環が取り付けられる取付面の一部を構成していることを特徴としている。
【発明の効果】
【００２１】
本発明によれば、前記マウント環とマウント取付枠とは、雄ねじにより仮締めされた状態で、レンズ装置の光学系の光軸と前記マウント環の中心とを一致させるためにマウント取付枠の取付面上で相対的に移動自在に構成されており、これにより、前記マウント環を２ピース化する必要がなく（部品点数を少なくすることができ）、マウント環とマウント取付枠とを光軸調整のために相対的に移動させることができる。
【００２２】
また、前記マウント取付枠は、前記マウント環の外径よりも大きな外径を有しており、前記マウント環の取付部に光軸調整用治具が取り付けられた状態で（光軸調整の状態を確認しながら）、雄ねじを本締めすることができ、光軸調整作業を容易に行うことができる。
【図面の簡単な説明】
【００２３】
【図１】本発明に係るレンズ装置を側面から見た断面図
【図２】本発明に係るレンズ装置の後部の斜視図
【図３】フォーカスレンズ及びボイスコイルモータ等が収容されたマウント取付枠の斜視図
【図４】光軸調整を行いながらマウント取付枠にマウント環を締結する様子を示す要部断面図
【図５】従来のレンズ装置のマウント環の構造及び光軸調整方法を説明するために用いた要部断面図
【発明を実施するための形態】
【００２４】
以下、添付図面に従って本発明に係るレンズ装置の実施の形態について説明する。
【００２５】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００２６】
図１において、レンズ装置１のレンズ鏡胴本体は、主として前枠１０、前固定環１２、第１本体環１４、第２本体環１６、後固定環１８、マウント取付枠２０、及びマウント環２２によって略円筒状に構成されている。
【００２７】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２８】
尚、前枠１０には、レンズフード２４が装着できるようになっている。また、レンズ装置１は、マウント環２２を介してレンズ交換式のカメラ本体に装着される。
【００２９】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００３０】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００３１】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００３２】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００３３】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００３４】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００３５】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されている基準の第１のガイド軸及び回転規制用の第２のガイド軸（図示せず）により、光軸Ｏ方向に移動可能に支持されている。また、保持枠６２には、第１のガイド軸を挟んで一対のボイスコイルモータ（ＶＣＭ）６６が配設されており、フォーカスレンズ３６は、このＶＣＭ６６の動力によって電動で駆動されるようになっている。
【００３６】
尚、前記第１のガイド軸、第２のガイド軸及び一対のＶＣＭ６６等の詳細については後述する。
【００３７】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００３８】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００３９】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。尚、クリック用弾性部材７６を含む第１フォーカスリング７０のクリック機構の詳細については後述する。
【００４０】
上記構成のレンズ装置１の側面には、ねじ孔８０、８２を介してグリップ部を兼ねた駆動部（図示せず）が取り付けられる。
【００４１】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００４２】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００４３】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００４４】
尚、ズームリニアＰＯＴの出力は、電源投入時に使用され、その後は、ズーム位置検出用のＭＲセンサの出力が使用される。
【００４５】
フォーカスレンズ３６の第１のガイド軸に対向する保持枠６２には、フォーカスレンズ位置検出用のレンズ位置検出手段（ＭＲセンサ）が配設されており、このＭＲセンサは、フォーカスレンズ３６の移動量に対応するパルス数のパルス信号（相対位置を示す信号）をリード線を介して駆動部に出力する。尚、上記ＭＲセンサの配置等の詳細については後述する。
【００４６】
また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００４７】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００４８】
これにより、駆動部は、第１フォーカスリング７０の相対的な回転量を検知することができるとともに、第２フォーカスリング７２の絶対的な回転位置を検知することができる。
【００４９】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００５０】
［レンズ制御］
図２に示すようにマウント取付枠２０の側面には、スライド式のマクロＯＮ／ＯＦＦスイッチ１００と、ＡＦ／ＭＦ切替えスイッチ１０２と、ノンロック式のＡＦプッシュスイッチ１０４とが配設されており、これらのスイッチの操作に伴う出力信号は、リード線を介して駆動部に加えられるようになっている。
【００５１】
ここで、マクロＯＮ／ＯＦＦスイッチ１００は、マクロ撮影モードをＯＮ／ＯＦＦさせるスイッチである。ＡＦ／ＭＦ切替えスイッチ１０２は、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチ１０４は、ＡＦ／ＭＦ切替えスイッチ１０２によりＭＦモードに切り替えられている場合に、キートップが押下（プッシュ）されている期間だけＡＦモードに切り替えるスイッチである。
【００５２】
尚、マウント取付枠２０には、カメラ装置に装着するためのレンズマウントを含むマウント環２２を固定するためのねじ用ボスが、マウント取付枠２０の周方向に等間隔に形成されており、マウント環２２は、ねじ用ボスを使用して六角穴付ねじ２３によりマウント取付枠２０の後端に固定される。
【００５３】
＜フォーカス制御＞
ＡＦ／ＭＦ切替えスイッチ１０２によりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００５４】
一方、ＡＦ／ＭＦ切替えスイッチ１０２によりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００５５】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００５６】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００５７】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００５８】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００５９】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチ１０４の押下によるＡＦモードとを適宜使い分けてフォーカス制御を行うことができる。
【００６０】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００６１】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００６２】
また、ＡＦ／ＭＦモード時にＡＦプッシュスイッチ１０４の押下によりＡＦモードに一時的に切り替え、その後、ＡＦプッシュスイッチ１０４から手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００６３】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００６４】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００６５】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００６６】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００６７】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００６８】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００６９】
［実施の形態］
次に、上記構成のレンズ装置１に適用されたマウント取付枠２０及びマウント環２２の構造、及びマウント環２２の取付方法（光軸調整方法）について説明する。
【００７０】
＜マウント取付枠＞
図３はマウント取付枠２０と該マウント取付枠２０内に収容される保持枠６２等の外観を示す斜視図である。
【００７１】
マウント取付枠２０は、アルミダイカストにより一体成形されたもので、円筒形の外形を有し、その内側に内壁部２１が形成され、この内壁部２１により保持枠６２が収容される空間と、マクロＯＮ／ＯＦＦスイッチ１００、ＡＦ／ＭＦ切替えスイッチ１０２、及びＡＦプッシュスイッチ１０４を含むスイッチアッセンブリが収容される空間とに仕切られている。
【００７２】
マウント取付枠２０には、該マウント取付枠２０を後固定環１８に固定するための６個のねじ孔が形成されており、マウント取付枠２０は、６本のねじ１１０により後固定環１８に固定される。尚、図３上では、１本のねじ１１０のみが図示されている。
【００７３】
また、マウント取付枠２０には、カメラ本体側のレンズマウントに装着するためのレンズ側のレンズマウントを含むマウント環２２を固定するための６個のねじ用ボス１１２が、マウント取付枠２０の周方向に等間隔に形成されるとともに、マウント環２２が当接する取付面１１４が内周にわたって形成されている。尚、ねじ用ボス１１２の上面や内壁部２１の上面は、取付面１１４と面一となっており、取付面１１４の一部を構成している。
【００７４】
マウント環２２は、ねじ用ボス１１２のねじ穴を使用して６本の六角穴付ねじ２３（図２参照）によりマウント取付枠２０の後端に固定される。尚、このマウント環２２の取付方法の詳細については後述する。
【００７５】
次に、マウント取付枠２０内に収容される内部構造物（保持枠６２等）について説明する。
【００７６】
保持枠６２内には、前述したようにフォーカスレンズ３６、一対のＶＣＭ６６及びフォーカスレンズ３６の位置を検出するレンズ位置検出手段としてのＭＲセンサ１２０が配設されている。この保持枠６２は、保持枠６２のフランジ部を介してねじ１２２により後固定環１８に固定できるようになっている。尚、図３上では、１本のねじ１２２のみが示されているが、保持枠６２は、４本のねじ１２２により後固定環１８に固定されている。
【００７７】
フォーカスレンズ３６はフォーカスレンズ枠３７に保持されており、フォーカスレンズ枠３７は、光軸方向の移動の基準となる第１のガイド軸３９と、回転規制用の第２のガイド軸４１とによって光軸方向に移動自在に案内される。
【００７８】
一対のＶＣＭ６６は、それぞれマグネット６６Ａを有するヨーク６６Ｂと、ボイスコイル６６Ｃとからなる直方体形状のもので、ヨーク６６Ｂは保持枠６２側に固定され、ボイスコイル６６Ｃはフォーカスレンズ枠３７に固定される（図１参照）。
【００７９】
また、フォーカスレンズ枠３７の第１のガイド軸３９に挿通される軸受け部には、リニア型のＭＲセンサ１２０のＮ極、Ｓ極が所定にピッチで着磁された磁気スケールが設けられ、前記磁気スケールのＮ極、Ｓ極を検出するＭＲセンサ１２０は、磁気スケールに対向する保持枠６２側に配設される。
【００８０】
即ち、ＭＲセンサ１２０は、第１のガイド軸３９を挟んでフォーカスレンズ３６と対向する位置であって、第１のガイド軸３９に近接した位置に配置されている。これにより、ＭＲセンサ１２０は、フォーカスレンズ３６の位置を精度よく検出できる。
【００８１】
一方、一対のＶＣＭ６６は、フォーカスレンズ３６を円滑に移動させることができるように第１のガイド軸３９を挟んで対称の位置に、かつ第１のガイド軸３９に最も近接可能な位置に配設されている。
【００８２】
上記のようにＶＣＭ６６、ＭＲセンサ１１０を配置にすることによりマウント取付枠２０の外径を極力小さくするようにしているが、この実施の形態では、フォーカスレンズ３６の直径が２０〜３０ｍｍ、ＶＣＭ６６の厚みが約１０ｍｍであるため、マウント取付枠２０の外径は７０〜８０ｍｍ、より具体的には７４ｍｍとなっている。
【００８３】
＜マウント環＞
図１及び図２に示すようにマウント環２２は、バヨネット式レンズマウントであり、３つのバヨネット爪２２Ａが形成されるとともに、マウント取付枠２０に取り付けるためのフランジ部２２Ｂが形成されている。尚、この実施の形態のマウント環２２のマウント径は５０〜６０ｍｍ、より具体的にマウント環２２の外径は５１．６ｍｍ、バヨネット爪２２Ａの外径は５５ｍｍである。また、マウント環２２はアルミ合金により形成され、バヨネット爪２２Ａはフライスによる加工又は鍛造により形成されている。
【００８４】
また、マウント環２２のフランジ部２２Ｂには、図３に示したマウント取付枠２０のねじ用ボス１１２のねじ穴に対応する６個の貫通穴（バカ穴）が形成されている。
【００８５】
マウント環２２は、フランジ部２２Ｂの貫通穴に挿通され、マウント取付枠２０のねじ穴に螺合する六角穴付ねじ２３によってマウント取付枠２０にねじ止めされる。
【００８６】
また、マウント環２２には、位置決めピン２５がねじ込まれて取り付けられている。この位置決めピン２５は、レンズ装置１をカメラ本体に取り付けるときの回転方向の位置を規制する。
【００８７】
＜マウント環の取付方法（光軸調整方法）＞
次に、レンズ装置１の光学系の光軸とマウント環２２の中心とが一致するようにマウント環２２をマウント取付枠２０に取り付けるマウント環２２の取付方法（光軸調整方法）について説明する。
【００８８】
レンズ装置１内の固定レンズ３０、ズームレンズ３２、前マスターレンズ３４、フォーカスレンズ３６、及び後マスターレンズ３８の５群からなる光学系の光軸Ｏは、固定レンズ３０、前マスターレンズ３４、及びフォーカスレンズ３６の各レンズの位置をそれぞれ調整することにより調整されているものとする（図１）。
【００８９】
図４に示すように、レンズ装置１の光学系の光軸Ｏとマウント環２２の中心（メカ中心）とが一致するようにマウント環２２をマウント取付枠２０に取り付けるために、まず、マウント取付枠２０の後部の取付面１１４にマウント環２２のフランジ部２２Ｂの基準面を当接させるとともに、六角穴付ねじ２３をフランジ部２２Ｂに形成された貫通穴に挿通し、マウント取付枠側のねじ用ボス１１２のねじ穴に螺合させる。
【００９０】
このとき、六角穴付ねじ２３は緩く締め（仮締めし）、マウント取付枠２０とマウント環２２とが取付面１１４上で相対的に移動できるようにしておく。尚、マウント取付枠２０とマウント環２２との間（符号１３０で示す位置）には、光軸調整用の隙間（クリアランス）が設けられている。
【００９１】
続いて、マウント環２２のバヨネット爪２２Ａ及びマウント環２２の基準面等を使用し、マウント環２２に対してコリメータ用治具６を精度よく取り付ける。
【００９２】
そして、レンズ装置１をマウント環２２（コリメータ用治具６）に対して振ってレンズ光軸とマウント環２２の中心とが一致したか否かをコリメータ用治具６により確認しながら光軸調整を行う。
【００９３】
上記光軸調整の作業及び確認を行いながら、六角レンチ１３２により六角穴付ねじ２３を本締めする。六角穴付ねじ２３の位置は、マウント環２２の外径よりも外側に位置しているが、コリメータ用治具６の一部と対向している。従って、六角レンチ１３２により側方から六角穴付ねじ２３を締め付けることで、コリメータ用治具６と干渉しないようにしている。即ち、コリメータ用治具６をマウント環２２に取り付けた状態で、六角穴付ねじ２３を本締めできるようにしている。
【００９４】
尚、この実施の形態のマウント環のレンズマウントは、バヨネット爪を有するバヨネット式レンズマウントであるが、本発明はこれに限らず、例えば、ねじ込み式マウントにも適用できる。また、この実施の形態では、マウント環をマウント取付枠に固定するための雄ねじとして六角穴付ねじを使用したが、コリメータ用治具をマウント環に取り付けた状態で本締めすることができれば、十字穴又はすりわり付ねじ等の他の種類の雄ねじを使用してもよい。
【００９５】
また、本発明は上述した実施形態に限定されず、本発明の精神を逸脱しない範囲で種々の変形が可能であることは言うまでもない。
【符号の説明】
【００９６】
１…レンズ装置、６…コリメータ用治具、２０…マウント取付枠、２２…マウント環、２２Ａ…バヨネット爪、２２Ｂ…フランジ部、２３…六角穴付ねじ、２５…位置決めピン、３６…フォーカスレンズ、６６…ボイスコイルモータ（ＶＣＭ）、１１２…ねじ用ボス、１１４…取付面、１２０…磁気センサ（ＭＲセンサ）、１３２…六角レンチ
【図１】
2011064973.tif 000003
【図２】
2011064973.tif 000004
【図３】
2011064973.tif 000005
【図４】
2011064973.tif 000006
【図５】
2011064973.tif 000007